(57)【要約】【課題】利便性を向上できるチャック付き袋を備えた複合容器を提供する。【解決手段】軟質樹脂フィルムにより形成した袋本体１１の上端の内面に一対のチャック部材１２を対向配置したチャック付き袋１０と、前面部２０ａと背面部２０ｂと両側端の折罫２３とを有してチャック付き袋１０を挿通する筒状の厚紙により形成されるとともにチャック部材１２の近傍でチャック付き袋１０に接着されるスリーブ２０とを備え、スリーブ２０の前面部２０ａ及び背面部２０ｂに、左右方向の中央部を通る縦方向に延びた中央折り線２１と、左右方向の両端部で縦方向に延びた端部折り線２２とを設け、スリーブ２０の両側端の押圧時にスリーブ２０の前面部２０ａ及び背面部２０ｂが中央折り線２１で外側に山折りされるとともに、端部折り線２２で前面部２０ａ及び背面部２０ｂの一方が外側に山折りされ、他方が内側に谷折りされる。【選択図】図１
2013184737.tif 000002
【特許請求の範囲】
【請求項１】
軟質樹脂フィルムにより形成した袋本体の上端の内面に一対のチャック部材を対向配置したチャック付き袋と、前面部と背面部と両側端の折罫とを有して前記チャック付き袋を挿通する筒状の厚紙により形成されるとともに前記チャック部材の近傍で前記チャック付き袋に接着されるスリーブとを備え、前記スリーブの前記前面部及び前記背面部に、左右方向の中央部を通る縦方向に延びた中央折り線と、左右方向の両端部で縦方向に延びた端部折り線とを設け、前記スリーブの両側端の押圧時に前記スリーブの前面部及び背面部が前記中央折り線で外側に山折りされるとともに、前記端部折り線で前記前面部及び前記背面部の一方が外側に山折りされ、他方が内側に谷折りされることを特徴とする複合容器。
【請求項２】
前記スリーブの下端が前記チャック付き袋の下端よりも下方に配され、前記中央折り線が前記スリーブの下端まで延びることを特徴とする請求項１に記載の複合容器。
【請求項３】
前記スリーブが厚紙を糊代で接着して筒状に形成され、前記糊代を前記端部折り線の外側に配したことを特徴とする請求項１または請求項２に記載の複合容器。
【請求項４】
前記糊代を前記スリーブの両側端部に設けたことを特徴とする請求項３に記載の複合容器。
【請求項５】
一対の前記チャック部材が対向して係合する雄部及び雌部から成り、前記雄部が前記袋本体の内面に固着して突設される第１支持部と第１支持部に連続する係合面を上方及び下方に突出する係合部とを有するとともに、前記雌部が前記袋本体の内面に固着して突設される第２支持部と第２支持部に連続して前記係合部に係合する凹部とを有し、下方の前記係合面を第１支持部に対して鈍角に形成したことを特徴とする請求項１〜請求項４のいずれかに記載の複合容器。
【請求項６】
前記スリーブの坪量を２６０〜４５０ｇ／ｍ２にしたことを特徴とする請求項１〜請求項５のいずれかに記載の複合容器。
【請求項７】
前記スリーブの横幅を６０ｍｍ〜１２０ｍｍに形成したことを特徴とする請求項１〜請求項６のいずれかに記載の複合容器。
【発明の詳細な説明】
【技術分野】
【０００１】
本発明は、粉体や粒体の内容物を収納するチャック付き袋を有した複合容器に関する。
【背景技術】
【０００２】
食品等の粉体や粒体の内容物を収納するチャック付き袋は特許文献１に開示される。このチャック付き袋は軟質樹脂フィルムの袋本体の上端に開口部を有し、開口部の内面に一対のチャック部材が対向配置される。チャック部材の係合によってチャック付き袋が密封される。また、チャック付き袋の対向する前面の上端と背面の上端とをそれぞれ両手の手指で摘持して離れる方向に引くとチャック部材の係合が解除され、チャック付き袋が開封される。
【先行技術文献】
【特許文献】
【０００３】
【特許文献１】実開平１−９４２５５号公報（第２図）
【発明の概要】
【発明が解決しようとする課題】
【０００４】
しかしながら、上記従来のチャック付き袋によると、開封時に両手の手指で前面部の上端と背面部の上端とをそれぞれ摘持するため、使用者の片手が塞がっていると開封できない。また、上端で接近するチャック付き袋の前面と背面とを使用者が容易に摘持できない場合がある。このため、チャック付き袋の利便性が悪い問題があった。
【０００５】
本発明は、利便性を向上できるチャック付き袋を備えた複合容器を提供することを目的とする。
【課題を解決するための手段】
【０００６】
上記目的を達成するために本発明は、軟質樹脂フィルムにより形成した袋本体の上端の内面に一対のチャック部材を対向配置したチャック付き袋と、前面部と背面部と両側端の折罫とを有して前記チャック付き袋を挿通する筒状の厚紙により形成されるとともに前記チャック部材の近傍で前記チャック付き袋に接着されるスリーブとを備え、前記スリーブの前記前面部及び前記背面部に、左右方向の中央部を通る縦方向に延びた中央折り線と、左右方向の両端部で縦方向に延びた端部折り線とを設け、前記スリーブの両側端の押圧時に前記スリーブの前面部及び背面部が前記中央折り線で外側に山折りされるとともに、前記端部折り線で前記前面部及び前記背面部の一方が外側に山折りされ、他方が内側に谷折りされることを特徴としている。
【０００７】
この構成によると、チャック付き袋は軟質樹脂フィルムの袋本体の上端の内面に一対のチャック部材が対向配置される。スリーブは厚紙により形成され、チャック付き袋が挿通される。チャック部材は前面側及び背面側から押圧されると係合し、チャック付き袋が密封される。
【０００８】
密封された複合容器はスリーブの例えば背面部を使用者の掌に面して把持され、チャック部材よりも下方でスリーブの両側端が手指や掌で押圧される。これにより、掌に面した背面部に設けた端部折り線が山折りされ、掌の反対側の前面部に設けた端部折り線が谷折りされる。その結果、スリーブの背面部は両端部で引っ張られるため中央折り線での谷折りが抑制されて外側に山折りされる。スリーブの前面部は圧縮され、中央折り線で外側に山折りされる。中央折り線の山折りによってスリーブに接着されたチャック付き袋の対向する前面と背面とがチャック部材の下方で互いに離れる。これにより、チャック部材の係合が解除され、チャック付き袋が開封される。
【０００９】
また本発明は、上記構成の複合容器において、前記スリーブの下端が前記チャック付き袋の下端よりも下方に配され、前記中央折り線が前記スリーブの下端まで延びることを特徴としている。この構成によると、中央折り線の山折りによってスリーブが下端まで広げられた状態を保持され、スリーブの下端によって複合容器を卓上に立設することができる。
【００１０】
また本発明は、上記構成の複合容器において、前記スリーブが厚紙を糊代で接着して筒状に形成され、前記糊代を前記端部折り線の外側に配したことを特徴としている。この構成によると、手指や掌で押圧されるスリーブの側端が補強される。
【００１１】
また本発明は、上記構成の複合容器において、前記糊代を前記スリーブの両側端部に設けたことを特徴としている。
【００１２】
また本発明は、上記構成の複合容器において、一対の前記チャック部材が対向して係合する雄部及び雌部から成り、前記雄部が前記袋本体の内面に突設される支持部と、前記支持部に連続する係合面を上方及び下方に突出して前記雌部に係合する係合部とを有し、下方の前記係合面を前記支持部に対して鈍角に形成したことを特徴としている。
【００１３】
この構成によると、チャック部材は対向する雄部が支持部に対して上下に突出した係合部の係合面を雌部に係合して閉じられる。係合部の係合面は支持部に連続し、雌部が係合面上を摺動してチャック部材が開かれる。下方の係合部の係合面は支持部に対して鈍角に形成され、弱い力で雌部に対して係合解除される。これにより、スリーブの両側端の押圧によってチャック部材の下方から容易にチャック付き袋が開封される。
【００１４】
また本発明は、上記構成の複合容器において、前記スリーブの坪量を２６０〜４５０ｇ／ｍ２にしたことを特徴としている。
【００１５】
また本発明は、上記構成の複合容器において、前記スリーブの横幅を６０ｍｍ〜１２０ｍｍに形成したことを特徴としている。
【発明の効果】
【００１６】
本発明によると、チャック付き袋を挿通する厚紙により形成したスリーブをチャック部材の近傍でチャック付き袋に接着し、上下に延びる中央折り線及び端部折り線をスリーブに設けたので、複合容器を片手で把持してチャック部材よりも下方でスリーブの両側端を押圧すると、チャック付き袋が開封される。これにより、チャック付き袋の上端を摘持する必要がなく、使用者の片手が塞がっていてもチャック付き袋を開封することができる。従って、使用者の利便性を向上することができる。
【図面の簡単な説明】
【００１７】
【図１】本発明の第１実施形態の複合容器を示す斜視図
【図２】本発明の第１実施形態の複合容器を示す上面断面図
【図３】本発明の第１実施形態の複合容器のスリーブを示す展開図
【図４】本発明の第１実施形態の複合容器のチャック部材を示す縦断面図
【図５】本発明の第２実施形態の複合容器を示す上面断面図
【図６】本発明の第２実施形態の複合容器のスリーブを示す展開図
【図７】本発明の第２実施形態の複合容器のスリーブを示す展開図
【発明を実施するための形態】
【００１８】
以下に本発明の実施形態を図面を参照して説明する。図１は第１実施形態の複合容器の斜視図を示しており、図２は後述する接着剤３０上を通る上面断面図を示している。複合容器１はチャック付き袋１０を筒状のスリーブ２０に挿通して形成され、使用者の片手の掌に入るようにスリーブ２０の横幅が６０〜１２０ｍｍに形成される。
【００１９】
チャック付き袋１０は軟質樹脂フィルムにより形成される袋本体１１と、袋本体１１の内面に熱接着される対向配置した一対のチャック部材１２とを有している。袋本体１１は上端を一端から他端にわたって熱接着され、両側端及び下端の三辺を熱接着部１０ｂにより熱接着して形成される。袋本体１１の両側端及び下端の一辺を折曲し、二辺を熱接着部１０ｂにより熱接着してもよい。
【００２０】
喫食時には上端の熱接着した領域を横方向に破断して切取り、開口部１０ａが形成される。開口部１０ａに沿って左右方向に延びて配されるチャック部材１２の係脱によって開口部１０ａが開閉される。尚、袋本体１１の上端を熱接着せずに、開口部１０ａを備えたものでもよい。
【００２１】
チャック付き袋１０内にはガムやグミ等の菓子、ふりかけ等の粉末や顆粒状の調味料、錠剤や顆粒状の健康食品等の粉体や粒状の内容物が密閉して収納される。
【００２２】
スリーブ２０には詳細を後述するように折り曲げと折り戻しとを繰り返される複数の折り線２１、２２が設けられる。このため、スリーブ２０は折り線２１、２２以外の部分で折曲されないように、坪量が２６０〜４５０ｇ／ｍ２の厚紙により形成される。スリーブ２０はチャック部材１２の近傍の左右方向の中央部で接着剤３０によりチャック付き袋１０に接着される。
【００２３】
スリーブ２０の上端はチャック付き袋１０の上端とチャック部材１２との間に配される。スリーブ２０の上端をチャック部材１２の下方に配してもよい。また、スリーブ２０の下端はチャック付き袋１０の下端よりも下方に配される。
【００２４】
図３はスリーブ２０の展開図を示している。スリーブ２０は前面部２０ａと前面部２０ａの一側方に折り線２３を介して隣接する背面部２０ｂとを有している。背面部２０ｂには折り線２３を介して糊代２０ｃが隣接する。糊代２０ｃを前面部２０ａに接着してスリーブ２０が折り線２３を両側端の折罫として筒状に形成される。
【００２５】
また、前面部２０ａ及び背面部２０ｂの左右方向の中央には縦方向に延びて外側に山折りされる折り線２１（中央折り線）が設けられる。前面部２０ａ及び背面部２０ｂの両側端部には縦方向に延びる折り線２２（端部折り線）が設けられる。折り線２２は複合容器１を把持した向きによって折曲方向が異なる。この時、前面部２０ａの折り線２２と背面部２０ｂの折り線２２とは同じ方向に折曲される。また、糊代２０ｃは背面部２０ｂに接着された際に折り線２２の外側に配される。
【００２６】
図４はチャック部材１２の縦断面図を示している。一対のチャック部材１２は対向する雄部１３と雌部１４とにより形成される。雄部１３は袋本体１１の内面に突設される支持部１３ａ（第１支持部）と、支持部１３ａの先端に設けられる係合部１３ｂとを有している。係合部１３ｂは支持部１３ａから上下方向に突出する係合面１３ｃが袋本体１１に面して形成される。
【００２７】
雌部１４は袋本体１１の内面に突設される支持部１４ａ（第２支持部）と、支持部１４ａの先端に配して係合部１３ｂが嵌合する凹部１４ｂと、凹部１４ｂの先端に設けられる爪部１４ｃとを有している。爪部１４ｃは凹部１４ｂの上下端から互いに接近する方向に突出し、雄部１３の係合面１３ｃに係合する。
【００２８】
係合部１３ｂが凹部１４ｂに嵌合して爪部１４ｃが係合面１３ｃに係合することにより、チャック部材１２によってチャック付き袋１０が密封される。また、雄部１３と雌部１４とが離れる方向に加重されると爪部１４ｃが係合面１３ｃ上を摺動して爪部１４ｃと係合面１３ｃとの係合が解除される。これにより、チャック付き袋１０の開口部１０ａが開封される。この時、支持部１３ａの上方及び下方の係合面１３ｃは支持部１３ａに対して鈍角に形成される。これにより、雄部１３と雌部１４との係合力が弱く、チャック部材１２の下方及び上方から容易に離すことができる。
【００２９】
上記構成の複合容器１において、スリーブ２０の上部を手指で押圧してチャック部材１２の雄部１３と雌部１４とが係合すると複合容器１のチャック付き袋１０が密封される。
【００３０】
スリーブ２０の上端はチャック付き袋１０の上端よりも下方に配されるため、密封されたチャック付き袋１０の前面及び背面の上端を摘持して開封することもできる。
【００３１】
また、密封された複合容器１は例えば背面部２０ｂを使用者の掌に面して把持され、チャック部材１２よりも下方でスリーブ１０の両側端が手指や掌で押圧される。これにより、掌に面した背面部２０ｂに設けた折り線２２が外側に山折りされ、掌の反対側の前面部２０ａに設けた折り線２２が内側に谷折りされる。
【００３２】
その結果、スリーブ２０の背面部２０ｂは両端部で引っ張られるため折り線２１での谷折りが抑制されて外側に山折りされる。スリーブ２０の前面部２０ａは圧縮され、折り線２１で外側に山折りされる。両方の折り線２１の山折りによってスリーブ２０に接着されたチャック付き袋１０の対向する前面と背面とがチャック部材１２の下方で互いに離れる。これにより、チャック部材１２の係合が解除され、片手でチャック付き袋１０の開口部１０ａを開封することができる。この時、雄部１３の下方の係合面１３ｃが支持部１３ａに対して鈍角に形成されるため、容易にチャック部材１２の係合を解除することができる。
【００３３】
また、開封された複合容器１はスリーブ２０が折り線２１で折曲された状態が保持され、折り線２１によってスリーブ２０の下端が広げられる。これにより、厚紙のスリーブ２０によって複合容器１を卓上等に立設させることができる。
【００３４】
本実施形態によると、チャック付き袋１０を挿通する厚紙により形成したスリーブ２０をチャック部材１２の近傍でチャック付き袋１０に接着し、上下に延びる折り線２１（中央折り線）及び折り線２２（端部折り線）をスリーブ２０に設けたので、複合容器１を片手で把持してチャック部材１２よりも下方でスリーブ１０の両側端を押圧すると、チャック付き袋１０が開封される。これにより、チャック付き袋１０の上端を摘持する必要がなく、使用者の片手が塞がっていてもチャック付き袋１０を開封することができる。従って、使用者の利便性を向上することができる。
【００３５】
また、スリーブ２０の下端がチャック付き袋１０の下端よりも下方に配され、折り線２１がスリーブ２０の下端まで延びるため、スリーブ２０の下端が広げられて複合容器１を卓上等に立設させることができる。従って、複合容器１の利便性をより向上することができる。
【００３６】
また、背面部２０ｂに接着される糊代２０ｃが折り線２２の外側に配されるため、糊代２０ｃ部分でスリーブ２０が二重に形成される。これにより、手指や掌で押圧されるスリーブ２０の側端を補強することができる。また、折り線２２上でスリーブ２０が二重にならないため、スリーブ２０を折り線２２で容易に折曲できる。尚、糊代２０ｃの端面を折り線２２上に一致させてもよい。
【００３７】
また、チャック部材１２の雄部１３の下方の係合面１３ｃを支持部１３ａ（第１支持部）に対して鈍角に形成している。これにより、チャック部材１２の下方で接着剤３０によりスリーブ２０とチャック付き袋１０とを接着した際に、スリーブ２０の両側端の押圧によってチャック部材１２の係合を容易に解除することができる。
【００３８】
また、スリーブ２０を坪量が２６０〜４５０ｇ／ｍ２の厚紙により形成したので、両側端の押圧によってチャック付き袋１０を開封できる複合容器１を容易に実現することができる。
【００３９】
また、スリーブ２０の横幅を６０ｍｍ〜１２０ｍｍに形成したので、複合容器１を使用者の片手の掌で把持して容易に開封することができる。
【００４０】
次に、図５は第２実施形態の複合容器１の接着剤３０上を通る上面断面図を示している。説明の便宜上、前述の図１〜図４に示す第１実施形態と同様の部分には同一の符号を付している。本実施形態はスリーブ２０が２枚の厚紙から成る紙片２６、２７（図６、図７参照）を接着して形成される。その他の部分は第１実施形態と同様である。
【００４１】
図６、図７は本実施形態の複合容器１のスリーブ２０を形成する紙片２６、２７の展開図をそれぞれ示している。紙片２６はスリーブ２０の前面部２０ａを形成する。紙片２７はスリーブ２０の背面部２０ｂを形成し、背面部２０ｂの両側方に折り線２３を介して隣接する糊代２０ｃを有している。糊代２０ｃを前面部２０ａの両側端に接着してスリーブ２０が折り線２３を両側端の折罫として筒状に形成される。また、糊代２０ｃは前面部２０ａに接着された際に折り線２２の外側に配される。
【００４２】
本実施形態によると、第１実施形態と同様に、チャック付き袋１０を挿通する厚紙により形成したスリーブ２０をチャック部材１２の近傍でチャック付き袋１０に接着し、上下に延びる折り線２１（中央折り線）及び折り線２２（端部折り線）をスリーブ２０に設けたので、複合容器１を片手で把持してチャック部材１２よりも下方でスリーブ１０の両側端を押圧すると、チャック付き袋１０が開封される。これにより、チャック付き袋１０の上端を摘持する必要がなく、使用者の片手が塞がっていてもチャック付き袋１０を開封することができる。従って、使用者の利便性を向上することができる。
【００４３】
また、スリーブ２０が２つの紙片２６、２７により形成され、糊代２０ｃが両側端に設けられるため、手指や掌で押圧されるスリーブ２０の両側端を補強することができる。
【００４４】
第１、第２実施形態において、チャック付き袋１０とスリーブ２０とを接着する接着剤３０の接着面積は特に限定されないが、スポット状に接着するとより望ましい。これにより、樹脂製のチャック付き袋１０と紙製のスリーブ２０とを容易に分離して分別廃棄することができる。この時、上記各実施形態に示すようにチャック付き袋１０がチャック部材１２の下方近傍で左右方向の中央部をスリーブ２０に接着されると更に望ましい。これにより、スリーブ２０の押圧による左右方向の中央部の変形により、接着剤３０を介してチャック部材１２を中央部から容易に離すことができる。
【産業上の利用可能性】
【００４５】
本発明によると、食品等の粉体や粒体の内容物を収納するチャック付き袋を有した複合容器に利用することができる。
【符号の説明】
【００４６】
１    複合容器
１０    チャック付き袋
１０ａ  開口部
１１    袋本体
１２    チャック部材
１３    雄部
１３ａ  支持部
１３ｂ  係合部
１３ｃ  係合面
１４    雌部
１４ａ  支持部
１４ｂ  凹部
１４ｃ  爪部
２０    スリーブ
２０ａ  前面部
２０ｂ  背面部
２０ｃ  糊代
２１    折り線（中央折り線）
２２    折り線（端部折り線）
２３    折り線
２６、２７  紙片
３０    接着剤
【図１】
2013184737.tif 000003
【図２】
2013184737.tif 000004
【図３】
2013184737.tif 000005
【図４】
2013184737.tif 000006
【図５】
2013184737.tif 000007
【図６】
2013184737.tif 000008
【図７】
2013184737.tif 000009